(57)【要約】【課題】マルチディスプレイ装置においてキャプチャ印刷する場合に、正しいページ順で印刷する。【解決手段】複数の表示装置から構成されるマルチディスプレイ装置から、前記各表示装置が表示している画像を取得する第１の取得手段と、前記マルチディスプレイ装置における前記各表示装置の配置情報を取得する第２の取得手段と、前記各表示装置が表示している画像に含まれる文字の書字方向を取得する第３の取得手段と、前記配置情報と前記書字方向とに基づき、前記各表示装置が表示している画像を印刷する順序を決定する決定手段と、前記決定手段により決定された順序に従って、前記各表示装置が表示している画像を印刷する印刷手段と、を備える印刷装置。【選択図】図３
2015205454.tif 000002
【特許請求の範囲】
【請求項１】
複数の表示装置から構成されるマルチディスプレイ装置から、前記各表示装置が表示している画像を取得する第１の取得手段と、
前記マルチディスプレイ装置における前記各表示装置の配置情報を取得する第２の取得手段と、
前記各表示装置が表示している画像に含まれる文字の書字方向を取得する第３の取得手段と、
前記配置情報と前記書字方向とに基づき、前記各表示装置が表示している画像を印刷する順序を決定する決定手段と、
前記決定手段により決定された順序に従って、前記各表示装置が表示している画像を印刷する印刷手段と、
を備える印刷装置。
【請求項２】
前記決定手段は、前記書字方向が右から左の方向である場合、前記マルチディスプレイ装置において右側にある表示装置で表示している画像から、前記マルチディスプレイ装置において左側にある表示装置で表示している画像へ、の順序とする請求項１に記載の印刷装置。
【請求項３】
前記決定手段は、前記書字方向が左から右の方向である場合、前記マルチディスプレイ装置において左側にある表示装置で表示している画像から、前記マルチディスプレイ装置において右側にある表示装置で表示している画像へ、の順序とする請求項１又は２に記載の印刷装置。
【請求項４】
前記マルチディスプレイ装置は横に並ぶ２つの表示装置から構成され、
前記決定手段は、前記書字方向が右から左の方向である場合、前記マルチディスプレイ装置において右側にある表示装置に表示している画像を第１のページとして印刷し、前記マルチディスプレイ装置において左側にある表示装置に表示している画像を前記第１のページに続く第２のページとして印刷するよう、印刷する順序を決定する請求項１〜３のいずれか１項に記載の印刷装置。
【請求項５】
前記マルチディスプレイ装置は横に並ぶ２つの表示装置から構成され、
前記決定手段は、前記書字方向が左から右の方向である場合、前記マルチディスプレイ装置において左側にある表示装置に表示している画像を第１のページとして印刷し、前記マルチディスプレイ装置において右側にある表示装置に表示している画像を前記第１のページに続く第２のページとして印刷するよう、印刷する順序を決定する請求項１〜３のいずれか１項に記載の印刷装置。
【請求項６】
複数の表示装置から構成されるマルチディスプレイ装置から、前記各表示装置が表示している画像を取得する第１の取得手段と、
前記マルチディスプレイ装置における前記各表示装置の配置情報を取得する第２の取得手段と、
前記配置情報に基づき、前記マルチディスプレイ装置が表示している複数の画像を１ページに印刷する場合の各画像の配置を決定する決定手段と、
前記決定手段により決定された配置に従って、前記マルチディスプレイ装置が表示している複数の画像を１ページに印刷する印刷手段と、
を備える印刷装置。
【請求項７】
前記第２の取得手段は、前記各表示装置から前記各表示装置の配置情報を取得する請求項１〜６のいずれか１項に記載の印刷装置。
【請求項８】
前記第２の取得手段は、前記複数の表示装置のいずれかの表示装置から前記複数の表示装置の配置情報を取得する請求項１〜６のいずれか１項に記載の印刷装置。
【請求項９】
前記第２の取得手段は、ユーザから前記マルチディスプレイ装置における前記各表示装置の配置情報の入力を受け付けることにより前記配置情報を取得する請求項１〜６のいずれか１項に記載の印刷装置。
【請求項１０】
前記第２の取得手段は、前記第１の取得手段により画像が取得されたときに前記配置情報を取得する請求項１〜９のいずれか１項に記載の印刷装置。
【請求項１１】
複数の表示装置から構成されるマルチディスプレイ装置であって、前記各表示装置は、
前記各表示装置が表示している画像に含まれる文字の書字方向を取得する取得手段と、
前記マルチディスプレイ装置における前記各表示装置の配置情報と前記書字方向とに基づき、前記各表示装置が表示している画像を印刷する順序を決定する決定手段と、
前記決定手段により決定された順序の情報と、前記各表示装置が表示している画像と、を印刷装置へ出力する出力手段と、
を備えるマルチディスプレイ装置。
【請求項１２】
前記決定手段は、前記書字方向が右から左の方向である場合、前記マルチディスプレイ装置において右側にある表示装置で表示している画像から、前記マルチディスプレイ装置において左側にある表示装置で表示している画像へ、の順序とする請求項１１に記載のマルチディスプレイ装置。
【請求項１３】
前記決定手段は、前記書字方向が左から右の方向である場合、前記マルチディスプレイ装置において左側にある表示装置で表示している画像から、前記マルチディスプレイ装置において右側にある表示装置で表示している画像へ、の順序とする請求項１１に記載のマルチディスプレイ装置。
【請求項１４】
前記出力手段は、前記各表示装置が表示している画像に当該画像を印刷する順序の情報を付加したデータを印刷装置へ出力する請求項１１〜１３のいずれか１項に記載のマルチディスプレイ装置。
【請求項１５】
前記各表示装置は、ユーザから前記配置情報の入力を受け付ける入力手段を更に有する請求項１１〜１４のいずれか１項に記載のマルチディスプレイ装置。
【請求項１６】
複数の表示装置から構成されるマルチディスプレイ装置と、前記マルチディスプレイ装置により表示している画像を印刷する印刷装置と、から構成される表示システムであって、
前記マルチディスプレイ装置における前記各表示装置の配置情報を取得する第２の取得手段と、
前記各表示装置が表示している画像に含まれる文字の書字方向を取得する第３の取得手段と、
前記配置情報と前記書字方向とに基づき、前記各表示装置が表示している画像を印刷する順序を決定する決定手段と、
を備え、
前記印刷装置は、
前記マルチディスプレイ装置から、前記各表示装置が表示している画像を取得する第１の取得手段と、
前記決定手段により決定された順序に従って、前記各表示装置が表示している画像を
印刷する印刷手段と、
を備え、
前記マルチディスプレイ装置は、
前記各表示装置が表示している画像を前記印刷装置へ出力する出力手段を備えることを特徴とする表示システム。
【請求項１７】
前記決定手段は、前記書字方向が右から左の方向である場合、前記マルチディスプレイ装置において右側にある表示装置で表示している画像から、前記マルチディスプレイ装置において左側にある表示装置で表示している画像へ、の順序とする請求項１６に記載の表示システム。
【請求項１８】
前記決定手段は、前記書字方向が左から右の方向である場合、前記マルチディスプレイ装置において左側にある表示装置で表示している画像から、前記マルチディスプレイ装置において右側にある表示装置で表示している画像へ、の順序とする請求項１６に記載の表示システム。
【請求項１９】
前記決定手段は、前記マルチディスプレイ装置が表示している画像を印刷する指示があった場合に前記順序の決定を行う請求項１６〜１８のいずれか１項に記載の表示システム。
【請求項２０】
前記マルチディスプレイ装置は横に並ぶ２つの表示装置から構成され、
前記決定手段は、前記書字方向が右から左の方向である場合、前記マルチディスプレイ装置において右側にある表示装置に表示している画像を第１のページとして印刷し、前記マルチディスプレイ装置において左側にある表示装置に表示している画像を前記第１のページに続く第２のページとして印刷するよう、印刷する順序を決定する請求項１６〜１９のいずれか１項に記載の表示システム。
【請求項２１】
前記マルチディスプレイ装置は横に並ぶ２つの表示装置から構成され、
前記決定手段は、前記書字方向が左から右の方向である場合、前記マルチディスプレイ装置において左側にある表示装置に表示している画像を第１のページとして印刷し、前記マルチディスプレイ装置において右側にある表示装置に表示している画像を前記第１のページに続く第２のページとして印刷するよう、印刷する順序を決定する請求項１６〜１９のいずれか１項に記載の表示システム。
【請求項２２】
複数の表示装置から構成されるマルチディスプレイ装置と、前記マルチディスプレイ装置により表示している画像を印刷する印刷装置と、から構成される表示システムであって、
前記マルチディスプレイ装置における前記各表示装置の配置情報を取得する第２の取得手段と、
前記配置情報に基づき、前記マルチディスプレイ装置が表示している複数の画像を１ページに印刷する場合の各画像の配置を決定する決定手段と、
を備え、
前記印刷装置は、
前記マルチディスプレイ装置から、前記各表示装置が表示している画像を取得する第１の取得手段と、
前記決定手段により決定された配置に従って、前記マルチディスプレイ装置が表示している複数の画像を１ページに印刷する印刷手段と、
を備え、
前記マルチディスプレイ装置は、
前記各表示装置が表示している画像を前記印刷装置へ出力する出力手段を備えること
を特徴とする表示システム。
【請求項２３】
複数の表示装置から構成されるマルチディスプレイ装置から、前記各表示装置が表示している画像を取得する第１の取得工程と、
前記マルチディスプレイ装置における前記各表示装置の配置情報を取得する第２の取得工程と、
前記各表示装置が表示している画像に含まれる文字の書字方向を取得する第３の取得工程と、
前記配置情報と前記書字方向とに基づき、前記各表示装置が表示している画像を印刷する順序を決定する決定工程と、
前記決定工程により決定された順序に従って、前記各表示装置が表示している画像を印刷する印刷工程と、
を有する印刷装置の制御方法。
【請求項２４】
複数の表示装置から構成されるマルチディスプレイ装置から、前記各表示装置が表示している画像を取得する第１の取得工程と、
前記マルチディスプレイ装置における前記各表示装置の配置情報を取得する第２の取得工程と、
前記配置情報に基づき、前記各表示装置が表示している複数の画像を１ページに印刷する場合の各画像の配置を決定する決定工程と、
前記決定工程により決定された配置に従って、前記各表示装置が表示している複数の画像を１ページに印刷する印刷工程と、
を有する印刷装置の制御方法。
【請求項２５】
複数の表示装置から構成されるマルチディスプレイ装置の制御方法であって、前記各表示装置が、
前記各表示装置が表示している画像に含まれる文字の書字方向を取得する取得工程と、
前記マルチディスプレイ装置における前記各表示装置の配置情報と前記書字方向とに基づき、前記各表示装置が表示している画像を印刷する順序を決定する決定工程と、
前記決定工程により決定された順序の情報と、前記各表示装置が表示している画像と、を印刷装置へ出力する出力工程と、
を有するマルチディスプレイ装置の制御方法。
【発明の詳細な説明】
【技術分野】
【０００１】
本発明は、印刷装置、マルチディスプレイ装置、及び表示システムに関するものである。
【背景技術】
【０００２】
従来、見開き状態にした原稿を読み取って印刷する際に、原稿の画像データにおける書字方向を判定し、その判定結果に応じたページ順にして印刷データを生成する処理がある（例えば、特許文献１参照）。また、表示装置に表示している画像を印刷機で印刷して出力することができるシステムがある。
【先行技術文献】
【特許文献】
【０００３】
【特許文献１】特開２０１２−１０５１８１号公報
【発明の概要】
【発明が解決しようとする課題】
【０００４】
ここで、複数の表示装置を用いて複数のページの画像を並べて表示（例えば見開き表示）する表示装置（以下、「マルチディスプレイ装置」という）において、表示している画像を印刷して出力（以下、「キャプチャ印刷」という）する場合を考える。例えば、２つの表示装置が左右に並べられて構成されたマルチディスプレイ装置において、複数の表示装置に表示されている画像を一定の順序、例えば表示装置（左）→表示装置（右）という順序で印刷するものとする。英語の文書のように、書字方向が左から右の文書を見開き表示している場合、上記の順序で印刷するとページ順と合った順序で印刷が行われる。しかし、日本語の縦書きの文書のように、書字方向が右から左の文書を見開き表示している場合、上記の順序で印刷するとページ順と合わない順序で印刷が行われてしまう。
【０００５】
本発明は、マルチディスプレイ装置において複数のページを表示している場合に正しいページ順でキャプチャ印刷することを目的とする。
【課題を解決するための手段】
【０００６】
本発明は、複数の表示装置から構成されるマルチディスプレイ装置から、前記各表示装置が表示している画像を取得する第１の取得手段と、
前記マルチディスプレイ装置における前記各表示装置の配置情報を取得する第２の取得手段と、
前記各表示装置が表示している画像に含まれる文字の書字方向を取得する第３の取得手段と、
前記配置情報と前記書字方向とに基づき、前記各表示装置が表示している画像を印刷する順序を決定する決定手段と、
前記決定手段により決定された順序に従って、前記各表示装置が表示している画像を印刷する印刷手段と、
を備える印刷装置である。
【０００７】
本発明は、複数の表示装置から構成されるマルチディスプレイ装置から、前記各表示装置が表示している画像を取得する第１の取得手段と、
前記マルチディスプレイ装置における前記各表示装置の配置情報を取得する第２の取得手段と、
前記配置情報に基づき、前記マルチディスプレイ装置が表示している複数の画像を１ペ
ージに印刷する場合の各画像の配置を決定する決定手段と、
前記決定手段により決定された配置に従って、前記マルチディスプレイ装置が表示している複数の画像を１ページに印刷する印刷手段と、
を備える印刷装置である。
【０００８】
本発明は、複数の表示装置から構成されるマルチディスプレイ装置であって、前記各表示装置は、
前記各表示装置が表示している画像に含まれる文字の書字方向を取得する取得手段と、
前記マルチディスプレイ装置における前記各表示装置の配置情報と前記書字方向とに基づき、前記各表示装置が表示している画像を印刷する順序を決定する決定手段と、
前記決定手段により決定された順序の情報と、前記各表示装置が表示している画像と、を印刷装置へ出力する出力手段と、
を備えるマルチディスプレイ装置である。
【０００９】
本発明は、複数の表示装置から構成されるマルチディスプレイ装置と、前記マルチディスプレイ装置により表示している画像を印刷する印刷装置と、から構成される表示システムであって、
前記マルチディスプレイ装置における前記各表示装置の配置情報を取得する第２の取得手段と、
前記各表示装置が表示している画像に含まれる文字の書字方向を取得する第３の取得手段と、
前記配置情報と前記書字方向とに基づき、前記各表示装置が表示している画像を印刷する順序を決定する決定手段と、
を備え、
前記印刷装置は、
前記マルチディスプレイ装置から、前記各表示装置が表示している画像を取得する第１の取得手段と、
前記決定手段により決定された順序に従って、前記各表示装置が表示している画像を印刷する印刷手段と、
を備え、
前記マルチディスプレイ装置は、
前記各表示装置が表示している画像を前記印刷装置へ出力する出力手段を備えることを特徴とする表示システムである。
【００１０】
本発明は、複数の表示装置から構成されるマルチディスプレイ装置と、前記マルチディスプレイ装置により表示している画像を印刷する印刷装置と、から構成される表示システムであって、
前記マルチディスプレイ装置における前記各表示装置の配置情報を取得する第２の取得手段と、
前記配置情報に基づき、前記マルチディスプレイ装置が表示している複数の画像を１ページに印刷する場合の各画像の配置を決定する決定手段と、
を備え、
前記印刷装置は、
前記マルチディスプレイ装置から、前記各表示装置が表示している画像を取得する第１の取得手段と、
前記決定手段により決定された配置に従って、前記マルチディスプレイ装置が表示している複数の画像を１ページに印刷する印刷手段と、
を備え、
前記マルチディスプレイ装置は、
前記各表示装置が表示している画像を前記印刷装置へ出力する出力手段を備えること
を特徴とする表示システムである。
【００１１】
本発明は、複数の表示装置から構成されるマルチディスプレイ装置から、前記各表示装置が表示している画像を取得する第１の取得工程と、
前記マルチディスプレイ装置における前記各表示装置の配置情報を取得する第２の取得工程と、
前記各表示装置が表示している画像に含まれる文字の書字方向を取得する第３の取得工程と、
前記配置情報と前記書字方向とに基づき、前記各表示装置が表示している画像を印刷する順序を決定する決定工程と、
前記決定工程により決定された順序に従って、前記各表示装置が表示している画像を印刷する印刷工程と、
を有する印刷装置の制御方法である。
【００１２】
本発明は、複数の表示装置から構成されるマルチディスプレイ装置から、前記各表示装置が表示している画像を取得する第１の取得工程と、
前記マルチディスプレイ装置における前記各表示装置の配置情報を取得する第２の取得工程と、
前記配置情報に基づき、前記各表示装置が表示している複数の画像を１ページに印刷する場合の各画像の配置を決定する決定工程と、
前記決定工程により決定された配置に従って、前記各表示装置が表示している複数の画像を１ページに印刷する印刷工程と、
を有する印刷装置の制御方法である。
【００１３】
本発明は、複数の表示装置から構成されるマルチディスプレイ装置の制御方法であって、前記各表示装置が、
前記各表示装置が表示している画像に含まれる文字の書字方向を取得する取得工程と、
前記マルチディスプレイ装置における前記各表示装置の配置情報と前記書字方向とに基づき、前記各表示装置が表示している画像を印刷する順序を決定する決定工程と、
前記決定工程により決定された順序の情報と、前記各表示装置が表示している画像と、を印刷装置へ出力する出力工程と、
を有するマルチディスプレイ装置の制御方法である。
【発明の効果】
【００１４】
本発明によれば、マルチディスプレイ装置において複数のページを表示している場合に正しいページ順でキャプチャ印刷することができる。
【図面の簡単な説明】
【００１５】
【図１】本発明における想定システムを示した図
【図２Ａ】書字方向と表示について説明する図
【図２Ｂ】書字方向と表示について説明する図
【図３】実施例１に関わる構成を示すブロック図
【図４】実施例１における表示装置の処理について説明するフローチャート
【図５】実施例１における複写機の処理について説明するフローチャート
【図６】実施例２に関わる構成を示すブロック図
【図７】実施例２における表示装置の処理について説明するフローチャート
【図８】実施例２における複写機の処理について説明するフローチャート
【図９】実施例３に関わる構成を示すブロック図
【図１０】実施例３における複写機の処理について説明するフローチャート
【発明を実施するための形態】
【００１６】
本発明の実施例について具体的に説明する。以下の実施例は本発明の範囲をそれに限定する趣旨のものではなく、本発明の範囲内で以下の実施例には種々の変更を加え得る。
図１は、本発明を適用するマルチディスプレイ装置の概念図である。図１に示すように、複数の印刷物を複写機で読み取り、複数の表示装置から構成されるマルチディスプレイ装置に入力する。マルチディスプレイ装置に表示されている画像のキャプチャ印刷指示があると、複写機により各表示装置に表示されている画像データに基づく画像が印刷される。
【００１７】
ここで、本明細書における「書字方向」の定義を説明する。一般的に書字方向としては、以下の４種類が存在する。
縦書きには、以下の２種類がある。
・列を右から左へ並べるもの
・列を左から右へ並べるもの
横書きには、以下の２種類がある。
・行で文字を右から左へ進めるもの
・行で文字を左から右へ進めるもの
上記のうち、以下の２つを書字方向「左」（あるいは「右から左」）とする。
・列を右から左へ並べるもの（縦書き）
・文字を右から左へ行を進めるもの（横書き）
また、以下の２つを書字方向「右」（あるいは「左から右」）とする。
・列を左から右へ並べるもの（縦書き）
・文字を左から右へ行を進めるもの（横書き）
【００１８】
図２Ａ、図２Ｂは、従来のマルチディスプレイ装置におけるキャプチャ印刷を説明する図である。図２Ａ，図２Ｂのシステムでは、書字方向を考慮せずに、表示装置（左側に設置）→表示装置（右側に設置）という順序で印刷を行うものとする。なお、本明細書では、左側、右側とは、ユーザ（観察者）からマルチディスプレイ装置に向かって左側、右側を意味するものとする。
図２Ａは、印刷順と書字方向が合っている例を示している。図２Ａでは、書字方向は左から右であるため、ユーザは表示装置をＡ→Ｂという順序で見る。また、印刷はＡ→Ｂという順序で行われる。表示装置を見る順と印刷順序が一致するため、印刷物は正しいページ順で出力される。
図２Ａは、印刷順と書字方向が合っていない例を示している。図２Ｂでは、書字方向が右から左であるため、ユーザは表示装置をＡ→Ｂという順序で見る。一方、印刷はＢ→Ａという順序で行われる。表示装置を見る順と印刷順序が一致しないため、印刷物は正しいページ順で出力されない。
【００１９】
そのため、２つの表示装置で表示している２ページを１枚の紙の上下又は左右に配置して印刷（以下、「２ｉｎ１印刷」）する場合、正しいページ順で配置されない。また、両面印刷する場合は、表面にＢ、裏面にＡという順で印刷されるため、とくに２枚以上の印刷を行うとユーザが正しいページ順で印刷物を見ることができない。
このように、従来のマルチディスプレイ装置におけるキャプチャ印刷では、書字方向を考慮しないで印刷するため、正しいページ順で出力されないという課題があった。
これらの課題に対し、本発明は、以下の実施例で例示的に説明する方法により解決手段を提供する。
【００２０】
＜実施例１＞
実施例１では、複写機（印刷装置）において、表示装置から入力されたデータの書字方向の判定と、表示装置の設置位置情報から印刷順序を決定する。実施例１では、複数の表
示装置（マルチディスプレイ装置）と複写機（印刷時）とが連携して動作する。
【００２１】
（構成）
図３を用いて、実施例１のシステム構成について説明する。
複写機１００１は、表示装置１００２及び表示装置１００３から構成されるマルチディスプレイ装置１０１１より入力されたドキュメントファイル等の文字を含む画像データに対して書字方向の判定を行う。複写機１００１は、ＯＣＲ（Optical Character Recognition）機能等を備えており、書字方向の判定を行うことができる。書字方向判定部１００
４は、上記した機能を用いて画像データの書字方向の判定を行い、書字方向情報を取得する。選択部１００５は、書字方向と表示装置１００２及び表示装置１００３の設置情報とから、ページ順に合うように印刷する画像データの選択を行って、出力部１００６へ出力する。出力部１００６は、表示装置１００２及び表示装置１００３より入力された画像データの印刷処理を行う。
【００２２】
マルチディスプレイ装置１０１１は、表示装置１００２及び表示装置１００３から構成される。
表示装置１００２の表示部１００８及び表示装置１００３の表示部１０１０は、それぞれドキュメントファイル等の文字を含む画像データに基づく表示を行う。例えば、ドキュメントファイルの異なるページの画像データを表示部１００８及び表示部１０１０がそれぞれ表示することで、ドキュメントファイルの２つのページの見開き表示が行われる。
表示装置１００２の設置情報設定部１００７は、マルチディスプレイ装置における表示装置１００２の設置位置に関する情報（例えば、左又は右）を保持する。また、表示装置１００３の設置情報設定部１００９は、マルチディスプレイ装置における表示装置１００３の設置位置に関する情報（例えば、左又は右）を保持する。表示装置１００２及び表示装置１００３それぞれの設置位置の情報（設置情報）は、ユーザにより各表示装置に入力されるものとする。あるいは、マルチディスプレイ装置の構成時に予め各表示装置の設置情報設定部に各表示装置の設置情報が記録されるようにしても良い。また、マルチディスプレイ装置を構成する表示装置同士で情報を通信する手段を備え、表示装置同士で設置情報を送受信するようにしても良い。この場合、各表示装置の設置情報設定部は、マルチディスプレイ装置を構成する複数の表示装置の設置情報を保持するようにしても良い。設置情報設定部１００７及び設置情報設定部１００９はそれぞれ、設置情報を複写機１００１の選択部１００５へ出力する。
【００２３】
（表示装置フロー）
図４を用いて、実施例１における表示装置１００２及び表示装置１００３の処理フローについて説明する。
Ｓ１１０１において、表示部１００８及び表示部１０１０は、ドキュメントファイル等の文字を含む画像データに基づく表示を行う。
Ｓ１１０２において、ユーザは設置情報設定部１００７に対し表示装置１００２の設置情報（左又は右、上又は下等）の設定を行い、設置情報設定部１００９に対し表示装置１００２の設置情報の設定を行う。
Ｓ１１０３において、設置情報設定部１００７及び設置情報設定部１００９は、設置情報を複写機１００１に出力する。設置情報の出力はキャプチャ印刷時（ユーザによりキャプチャ印刷の指示が入力されたとき）に行われる。
Ｓ１１０４において、表示装置１００２及び表示装置１００３は、表示しているデータを複写機１００１に出力する。
【００２４】
（複写機フロー）
図５を用いて、実施例１における複写機の処理フローについて説明する。
Ｓ１２０１において、複写機１００１に、表示装置１００２及び表示装置１００３から
画像データが入力される。
Ｓ１２０２において、書字方向判定部１００４は、表示装置１００２及び表示装置１００３より入力された画像データの書字方向を判定する。
【００２５】
書字方向情報が右である場合（Ｓ１２０２：ＹＥＳ）、Ｓ１２０３において、選択部１００５は、表示装置１００２及び表示装置１００３の設置位置を判定する。具体的には、選択部１００５は、表示装置１００２が左に、表示装置１００３が右に設置されているか、又はその逆であるかを判定する。
書字方向情報が左である場合（Ｓ１２０２：ＮＯ）、Ｓ１２０４において、選択部１００５は、同様の判定を行う。判定は、表示装置１００２及び表示装置１００３より入力される設置情報に基づき行われる。
【００２６】
書字方向情報が右で、表示装置１００２の設置位置が左である場合（Ｓ１２０２：ＹＥＳ，Ｓ１２０３：ＹＥＳ）、Ｓ１２０５に進む。Ｓ１２０５において、出力部１００６は、表示装置１００２から入力される画像データを見開きの１ページ目として印刷し、表示装置１００３から入力される画像データを見開きの２ページ目として印刷するよう、画像データ出力を行う。
【００２７】
書字方向情報が右で、表示装置１００２の設置位置が右である場合（Ｓ１２０２：ＹＥＳ，Ｓ１２０３：ＮＯ）、Ｓ１２０６に進む。Ｓ１２０６において、出力部１００６は、表示装置１００３から入力される画像データを見開きの１ページ目として印刷し、表示装置１００２から入力される画像データを見開きの２ページ目として印刷するよう、画像データ出力を行う。
【００２８】
書字方向情報が左で、表示装置１００２の設置位置が左である場合（Ｓ１２０２：ＮＯ，Ｓ１２０３：ＹＥＳ）、Ｓ１２０６に進む。Ｓ１２０６において、出力部１００６は、表示装置１００２から入力される画像データを見開きの２ページ目として印刷し、表示装置１００３から入力される画像データを見開きの１ページ目として印刷するよう、画像データ出力を行う。
【００２９】
書字方向情報が左で、表示装置１００２の設置位置が右である場合（Ｓ１２０２：ＮＯ，Ｓ１２０３：ＮＯ）、Ｓ１２０５に進む。Ｓ１２０５において、出力部１００６は、表示装置１００３から入力される画像データを見開きの２ページ目として印刷し、表示装置１００２から入力される画像データを見開きの１ページ目として印刷するよう、画像データ出力を行う。
【００３０】
実施例１は、本発明の印刷装置の実施例である。この印刷装置は、マルチディスプレイ装置から、各表示装置が表示している画像データを取得する第１の取得手段（選択部１００５）と、マルチディスプレイ装置における各表示装置の配置情報を取得する第２の取得手段（選択部１００５）と、を備える。更に、この印刷装置は、各表示装置が表示している画像データの画像に含まれる文字の書字方向情報を取得する第３の取得手段（書字方向判定部１００４）を備える。また、配置情報と書字方向情報とに基づき、各表示装置が表示している画像データに基づく画像を印刷する順序を決定する決定手段（選択部１００５）を備える。そして、決定された順序に従って、各表示装置が表示している画像データに基づく画像を印刷する。
【００３１】
以上、実施例１のシステムによれば、印刷機は、表示装置の設置位置の情報と、表示装置から入力される画像データの書字方向の情報と、に基づき、ユーザが表示装置を見る順序に合った順序で画像データを印刷することができる。マルチディスプレイ装置においてキャプチャ印刷する場合に、正しいページ順で印刷することができる。
【００３２】
＜実施例２＞
本発明の実施例２について、実施例１との差分を中心に説明する。実施例１では、印刷装置が、マルチディスプレイ装置で表示している画像における文字の書字方向を判定し、マルチディスプレイ装置を構成する表示装置の配置情報と書字方向に基づき、画像の印刷順序を決定した。実施例２では、マルチディスプレイ装置を構成する表示装置が、表示している画像における文字の書字方向を判定し、マルチディスプレイ装置を構成する表示装置の配置情報と書字方向に基づき、画像の印刷順序を決定する。実施例２では、複数の表示装置（マルチディスプレイ装置）と複写機（印刷時）とが連携して動作する。
【００３３】
（構成）
図６により、実施例２のシステム構成について説明する。
マルチディスプレイ装置７１３は、表示装置７０２及び表示装置７０３から構成される。
表示装置７０２は書字方向判定部７０７を有し、表示装置７０３は書字方向判定部７１１を有する。書字方向判定部７０７は判定結果をページ決定部７０６へ出力し、書字方向判定部７１１は判定結果をページ決定部７１０へ出力する。
表示装置７０２はページ決定部７０６を有し、表示装置７０３はページ決定部７１０を有する。
ページ決定部７０６は、設置情報設定部７０５から取得する表示装置７０２の設置情報と書字方向判定部７０７から取得する書字方向とに基づき、表示部７０８で表示している画像データを印刷する順序を決定する。ページ決定部７０６は、決定した順序の情報を画像データに付加して複写機７０１へ出力する。
ページ決定部７１０は、設置情報設定部７０９から取得する表示装置７０３の設置情報と書字方向判定部７１１から取得する書字方向とに基づき、表示部７１２で表示している画像データを印刷する順序を決定する。ページ決定部７１０は、決定した順序の情報を画像データに付加して複写機７０１へ出力する。
表示装置７０２の
【００３４】
（表示装置フロー）
図７を用いて、実施例２における表示装置の処理フローについて説明する。
Ｓ８０１において、設置情報設定部７０５は設置情報をページ決定部７０６へ出力し、設置情報設定部７０９は、設置情報をページ決定部７１０へ出力する。
Ｓ８０２において、書字方向判定部７０７は表示部７０８で表示されている画像データの文字の書字方向の判定を行い、書字方向判定部７１１は表示部７１２で表示されているデータの文字の書字方向の判定を行う。書字方向判定部７０７は、判定結果である書字方向情報をページ決定部７０６へ出力し、書字方向判定部７１１は、判定結果である書字方向情報をページ決定部７１０へ出力する。
【００３５】
書字方向が右である場合（Ｓ８０２：ＹＥＳ）、以下の処理が行われる。以下の処理は表示装置７０２で実行される場合を例に説明するが、表示装置７０３で実行される場合も同様である。表示装置７０２における処理と表示装置７０３における処理は、同時に実行されても良いし、独立して実行されても良い。独立に実行される場合、並行して実行されても良いし、一方の処理が終了した後に他方の処理が実行されても良い。
Ｓ８０３において、表示装置７０２のページ決定部７０６は設置情報設定部７０５から表示装置７０２の設置位置の情報を取得する。
表示装置７０２の設置位置が左の場合、ページ決定部７０６は、表示部７０８が表示している画像データに、見開きの１ページ目というページ順の情報を付加して、複写機７０１に出力する。
表示装置７０２の設置位置が右の場合、ページ決定部７０６は、表示部７０８が表示し
ている画像データに、見開きの２ページ目というページ順の情報を付加して、複写機７０１に出力する。
【００３６】
書字方向が左である場合（Ｓ８０２：ＮＯ）、以下の処理が行われる。以下の処理も、表示装置７０２で実行される場合を例に説明するが、表示装置７０３で実行される場合も同様である。
Ｓ８０４において、表示装置７０２のページ決定部７０６は設置情報設定部７０５から表示装置７０２の設置位置の情報を取得する。
表示装置７０２の設置位置が左の場合、ページ決定部７０６は、表示部７０８が表示している画像データに、見開きの２ページ目というページ順の情報を付加して、複写機７０１に出力する。
表示装置７０２の設置位置が右の場合、ページ決定部７０６は、表示部７０８が表示している画像データに、見開きの１ページ目というページ順の情報を付加して、複写機７０１に出力する。
【００３７】
（複写機フロー）
図８を用いて、実施例２における複写機の処理フローについて説明する。
Ｓ９０１において、複写機７０１の出力部７０４は、表示装置７０２及び表示装置７０３から、各々の表示装置が表示している画像データ及びページ順の情報を取得する。
Ｓ９０２において、出力部７０４は、入力される画像データを、入力されるページ順の情報に従って印刷するよう画像データ出力を行う。
【００３８】
実施例２は、本発明のマルチディスプレイ装置の実施例である。このマルチディスプレイ装置の各表示装置は、各表示装置が表示している画像データの画像に含まれる文字の書字方向情報を取得する取得手段（書字方向判定部７０７，７１１）を備える。更に、各表示装置の配置情報と書字方向情報とに基づき、各表示装置が表示している画像データに基づく画像を印刷する順序を決定する決定手段（ページ決定部７０６，７１０）を備える。そして、決定手段により決定された順序の情報と、各表示装置が表示している画像データと、を印刷装置へ出力する。
【００３９】
以上、実施例２のシステムによれば、表示装置は、設置位置の情報と、表示している画像データにおける文字の書字方向の情報と、に基づき、表示している画像データのページ順の情報を判定し、印刷機に出力する。印刷機は、表示装置から入力されるページ順の情報に基づき印刷するので、ユーザが表示装置を見る順序に合った順序で画像データを印刷することができる。マルチディスプレイ装置においてキャプチャ印刷する場合に、正しいページ順で印刷することができる。
【００４０】
＜実施例３＞
実施例３は、複写機において「２ｉｎ１印刷」を行う例である。２ｉｎ１印刷は、１枚の用紙に２ページの内容を並べて配置して印刷する印刷方法である。実施例１、２では、印刷機又はマルチディスプレイ装置を構成する各表示装置において、表示している画像データにおける文字の書字方向の判定を行い、書字方向情報と表示装置の配置情報とに基づき、各表示装置が表示しているページの印刷順序を決定した。実施例３では、マルチディスプレイ装置における表示装置の配置情報に基づき、２ｉｎ１印刷において１枚の用紙に２ページの内容を並べて配置する順序を決定する。
（構成）
図９により、実施例３のシステムの構成について説明する。
マルチディスプレイ装置１３１０は、表示装置１３０２及び表示装置１３０３により構成される。表示装置１３０２は設置情報設定部１３０６及び表示部１３０７を有し、表示装置１３０３は設置情報設定部１３０８及び表示部１３０９を有する。設定情報設定部及
び表示部の機能は実施例１，２で説明した内容と同等であるから詳細な説明は割愛する。
複写機１３０１の選択部１３０４は、表示装置１３０２及び表示装置１３０３より入力された設置情報に基づき、文書のページ順に合うように、各表示装置の表示部で表示している画像データを２ｉｎ１印刷で１枚の用紙に配置する順序を決定する。選択部１３０４は、決定した印刷順序に基づき、印刷する画像データを出力部１３０５へ出力する。
表示装置１３０２の設置情報設定部１３０６及び表示装置１３０３の設置情報設定部１３０８は、キャプチャ印刷の指示があったときに選択部１３０４へ各表示装置の設置情報を出力する。なお、キャプチャ印刷の指示の有無によらず、複写機１３０１は常時、あるいは定期的に、マルチディスプレイ装置を構成する。
【００４１】
（表示装置フロー）
実施例１と同様である（図４）。
（複写機フロー）
図１０を用いて、実施例３における複写機の処理フローについて説明する。
Ｓ１４０１において、複写機１３０１の選択部１３０４は、表示装置１３０２及び表示装置１３０３から画像データと設置情報を取得する。
Ｓ１４０２において、選択部１３０４は、マルチディスプレイ装置１３１０における表示装置１３０２及び表示装置１３０３の設置態様を判定する。具体的には、選択部１３０４は、表示装置１３０２が左に、表示装置１３０３が右に設置されているか、又はその逆であるかを判定する。
【００４２】
表示装置１３０２の設置位置が左である場合（Ｓ１４０２：ＹＥＳ）、選択部１３０４は、表示装置１３０２から入力される画像データを２ｉｎ１印刷時の左側に配置する。また、表示装置１３０３から入力される画像データを２ｉｎ１印刷時の右側に配置する。選択部１３０４は、このように各表示装置で表示している画像データが配置された画像が印刷されるように印刷データを生成して出力する（Ｓ１４０３）。
表示装置１３０２の設置位置が右である場合（Ｓ１４０２：ＮＯ）、選択部１３０４は、表示装置１３０２から入力される画像データを２ｉｎ１印刷時の右側に配置する。また、表示装置１３０３から入力される画像データを２ｉｎ１印刷時の左側に配置する。選択部１３０４は、このように各表示装置で表示している画像データが配置された画像が印刷されるように印刷データを生成して出力する（Ｓ１４０４）。
【００４３】
実施例３は、本発明の印刷装置の実施例である。この印刷装置は、複数の表示装置から構成されるマルチディスプレイ装置から、各表示装置が表示している画像データを取得する第１の取得手段（選択部１３０４）を備える。また、マルチディスプレイ装置における各表示装置の配置情報を取得する第２の取得手段（選択部１３０４）を備える。更に、配置情報に基づき、各表示装置が表示している画像データに基づく複数の画像を１ページに印刷する場合の各画像の配置を決定する決定手段（選択部１３０４）を備える。そして、決定手段により決定された配置に従って、各表示装置が表示している画像データに基づく複数の画像を１ページに印刷する。
【００４４】
以上、実施例３のシステムによれば、印刷機は、表示装置の設置位置の情報に基づき、表示装置の設置態様と２ｉｎ１印刷時の配置の態様とを合わせるように画像データを印刷することができる。これにより、マルチディスプレイ装置においてキャプチャ印刷する場合に、正しいページ順で印刷することができる。
【００４５】
以上の実施例では、２つの表示装置を並べて画像を見開き表示するマルチディスプレイ装置においてキャプチャ印刷する場合を例に説明したが、本発明はこれに限られない。マルチディスプレイ装置を構成する表示装置の数は２以上であっても良いし、表示装置の並べ方は横方向でも縦方向でも良いし、縦横に２次元的に並べても良い。いずれのマルチデ
ィスプレイ装置においても、上記各実施例と同様の処理により、マルチディスプレイ装置の観察者が表示を見る順序と合った順序で画像データを印刷することができる。
【００４６】
例えば、横２×縦２の４つの表示装置が並べられて構成されるマルチディスプレイ装置に本発明を適用した場合、まず上の行に配置されているか下の行に配置されているか判定し、上の行にある表示装置の画像の印刷順序を下の行の表示装置より先にする。これは縦方向では一般的に上から下に読み進めると考えられるからである。各行において、書字方向と、表示装置の配置が右か左かに応じて、上記各実施例で説明した方法で印刷順序を決定すればよい。
また、横３×縦１の３つの表示装置が並べられて構成されるマルチディスプレイ装置に本発明を適用した場合、表示装置が右か、中央か、左かを判定し、書字方向が右なら左側の表示装置から順に、書字方向が左なら右側の表示装置から順に印刷すれば良い。
上記の実施例において、複写機がマルチディスプレイ装置を構成する複数の表示装置の各々から各表示装置の配置情報を取得する例を示したが、いずれか１つの表示装置から全ての表示装置の配置情報を取得するようにしても良い。この場合、マルチディスプレイ装置を構成する表示装置間で有線又は無線等による通信により配置情報の送受信を行える構成とし、いずれか１つの表示装置が他の表示装置から配置情報を取得し集約する。あるいは、ユーザが複写機に配置情報を入力することにより、複写機が配置情報を取得する構成でも良い。また、複写機が配置情報を取得するタイミングは、表示装置から画像データを取得したとき、又は、ユーザにより表示装置で表示している画像のキャプチャ印刷が指示されたとき、としても良い。
【００４７】
実施例３の場合、マルチディスプレイ装置を構成する表示装置の数と、１枚の用紙に印刷するページ数と、を等しくすれば、設置情報のみに基づき適切なページ順で印刷が可能である。マルチディスプレイ装置を構成する表示装置の数と、１ページに印刷するページ数と、が等しくなくてもよい。例えば、横２×縦２の４つの表示装置が並べられて構成されるマルチディスプレイ装置において、キャプチャ印刷を２ｉｎ１印刷で行うことができる。この場合、印刷機は、上の行に配置されている表示装置で表示している画像の印刷順序が下の行に配置されている表示装置で表示している画像の印刷順序より先になるように印刷すれば良い。
【００４８】
実施例３で２ｉｎ１印刷を行う場合を説明したが、実施例１，２の構成でも、出力部は、決定した印刷順序に基づき、２ｉｎ１印刷のような複数ページを１ページに印刷する態様で画像データ出力しても良い。また、各実施例において、両面印刷を行っても良い。いずれの印刷態様においても、本発明を適用することにより、正しいページ順で印刷することが可能となる。
【００４９】
実施例１において、印刷装置は、複数の表示装置から構成されるマルチディスプレイ装置の各表示装置の配置情報を、各表示装置から取得する例を説明した。しかし、これに限られない。例えば、表示装置同士で配置情報を送受信する通信手段を備え、いずれかの表示装置、あるいはどの表示装置も、マルチディスプレイ装置を構成する全ての表示装置の配置情報を保持するようにしても良い。そして、印刷装置は、いずれかの表示装置から配置情報を取得するようにしても良い。
【００５０】
上記各実施例において、表示装置のデータ表示部の構成は液晶ディスプレイに限らず、画像データに基づく画像を表示する表示デバイスであれば良い。例えば有機ＥＬ（Electro-Luminescence）パネル、ＭＥＭＳ（Micro Electro Mechanical Systems）シャッター方式のパネルでも良い。あるいは、ＣＲＴ（Cathode Ray Tube）、レーザプロジェクタ、液晶プロジェクタ、その他の映写装置等でも良い。また、各実施例において、ユーザからマルチディスプレイ装置で表示している画像を印刷する指示の入力を受け付ける入力手段を
印刷装置又はマルチディスプレイ装置に備え、当該指示の入力があったときに選択部による印刷順序の決定処理を行うようにしても良い。また、上記各実施例は、本発明の印刷装置又はマルチディスプレイ装置の実施例として説明したが、上記各実施例の印刷装置とマルチディスプレイ装置から構成される表示システムは、本発明の表示システムの実施例としてとらえることができる。
【００５１】
＜その他の実施形態＞
本発明は、記憶媒体に記録された、コンピュータにより実行可能な命令（プログラム）を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明は、システムや装置のコンピュータによって行われる制御方法であって、例えばコンピュータにより実行可能な命令を記憶媒体から読み出し実行することで上述した本発明の実施形態に記載した１以上の機能が行われる制御方法によっても実施することができる。コンピュータは、１以上のＣＰＵ（Central Processing Unit）、ＭＰＵ（Micro Processing Unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商標）Disc））、フラッシュメモリ、メモリカードを含んでも良い。実施例
を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００５２】
１００１：複写機、１００２：表示装置、１００３：表示装置、１００４：書字方向判定部、１００５：選択部、１００６：出力部、１００７：設置情報設定部、１００９：設置情報設定部
【図１】
2015205454.tif 000003
【図２Ａ】
2015205454.tif 000004
【図２Ｂ】
2015205454.tif 000005
【図３】
2015205454.tif 000006
【図４】
2015205454.tif 000007
【図５】
2015205454.tif 000008
【図６】
2015205454.tif 000009
【図７】
2015205454.tif 000010
【図８】
2015205454.tif 000011
【図９】
2015205454.tif 000012
【図１０】
2015205454.tif 000013